(57)【要約】【課題】保持手によるユーザの意図しないタッチ操作を高精度に無効にすることができ、ひいては表示装置の操作性をより向上することができる技術を提供する。【解決手段】本発明の表示装置は、タッチ有効領域に対する、ユーザによるタッチ操作を受け付ける受付手段と、行われたタッチ操作によってタッチされた領域であるタッチ領域と、前記行われたタッチ操作によるタッチの時間であるタッチ時間とに基づいて、前記行われたタッチ操作が所定のタッチ操作である場合に、前記行われたタッチ操作を無効にする無効化手段と、を有する。【選択図】図２
2017157086.tif 000002
【特許請求の範囲】
【請求項１】
第１のタッチ有効領域に対する、ユーザによるタッチ操作を受け付ける第１受付手段と、
行われたタッチ操作によってタッチされた領域であるタッチ領域と、前記行われたタッチ操作によるタッチの時間であるタッチ時間とに基づいて、前記行われたタッチ操作が所定のタッチ操作である場合に、前記行われたタッチ操作を無効にする無効化手段と、
を有することを特徴とする表示装置。
【請求項２】
前記タッチ領域と前記タッチ時間とに基づいて、前記行われたタッチ操作が前記所定のタッチ操作であるか否かを判断する判断手段、をさらに有し、
前記無効化手段は、前記判断手段の判断結果に基づいて、前記行われたタッチ操作を無効にする
ことを特徴とする請求項１に記載の表示装置。
【請求項３】
前記所定のタッチ操作は、ユーザの意図しないタッチ操作である
ことを特徴とする請求項１または２に記載の表示装置。
【請求項４】
前記無効化手段は、前記タッチ領域が前記第１のタッチ有効領域の縁部に重なり、且つ、前記タッチ時間が時間閾値以上である場合に、前記行われたタッチ操作を無効にする
ことを特徴とする請求項１〜３のいずれか１項に記載の表示装置。
【請求項５】
前記無効化手段は、前記タッチ領域のサイズがサイズ閾値以上であり、且つ、前記タッチ時間が時間閾値以上である場合に、前記行われたタッチ操作を無効にする
ことを特徴とする請求項１〜４のいずれか１項に記載の表示装置。
【請求項６】
第２のタッチ有効領域に対する、ユーザによるタッチ操作を受け付ける第２受付手段と、
前記第２のタッチ有効領域に対するタッチ操作のタッチ領域に基づいて、前記第１のタッチ有効領域の少なくとも一部の領域である識別領域を決定する決定手段と、
をさらに有し、
前記無効化手段は、前記第１のタッチ有効領域に対するタッチ操作のタッチ領域が前記識別領域に重なり、且つ、前記第１のタッチ有効領域に対する前記タッチ操作のタッチ時間が時間閾値以上である場合に、前記第１のタッチ有効領域に対する前記タッチ操作と、前記第２のタッチ有効領域に対する前記タッチ操作とを無効にする
ことを特徴とする請求項１〜５のいずれか１項に記載の表示装置。
【請求項７】
前記決定手段は、前記第２のタッチ有効領域に対する前記タッチ操作のタッチ領域を含む領域に対応する領域を、前記識別領域として決定する
ことを特徴とする請求項６に記載の表示装置。
【請求項８】
前記第２のタッチ有効領域に対する前記タッチ操作のタッチ領域は複数存在し、
前記決定手段は、前記第２のタッチ有効領域に対する前記タッチ操作の全てのタッチ領域を含む領域に対応する領域を、前記識別領域として決定する
ことを特徴とする請求項６または７に記載の表示装置。
【請求項９】
前記第１のタッチ有効領域と前記第２のタッチ有効領域の一方は、前記表示装置の表面側の領域であり、
前記第１のタッチ有効領域と前記第２のタッチ有効領域の他方は、前記表示装置の裏面側の領域である
ことを特徴とする請求項６〜８のいずれか１項に記載の表示装置。
【請求項１０】
前記無効化手段によって無効にされたタッチ操作の継続中に他のタッチ操作が行われた場合に、前記無効化手段は、前記他のタッチ操作を有効にする
ことを特徴とする請求項１〜９のいずれか１項に記載の表示装置。
【請求項１１】
前記行われたタッチ操作が前記無効化手段によって無効にされた場合に、所定の通知を行う通知手段、をさらに有する
ことを特徴とする請求項１〜１０のいずれか１項に記載の表示装置。
【請求項１２】
前記所定の通知は、前記行われたタッチ操作が無効にされたことの通知を含む
ことを特徴とする請求項１１に記載の表示装置。
【請求項１３】
前記所定の通知は、無効にされないタッチ操作の実行を促す通知を含む
ことを特徴とする請求項１１または１２に記載の表示装置。
【請求項１４】
前記第１のタッチ有効領域は、画面の少なくとも一部の領域である
ことを特徴とする請求項１〜１３のいずれか１項に記載の表示装置。
【請求項１５】
タッチ有効領域に対する、ユーザによるタッチ操作を受け付けるステップと、
行われたタッチ操作によってタッチされた領域であるタッチ領域と、前記行われたタッチ操作によるタッチの時間であるタッチ時間とに基づいて、前記行われたタッチ操作が所定のタッチ操作である場合に、前記行われたタッチ操作を無効にするステップと、
を有することを特徴とする表示装置の制御方法。
【請求項１６】
請求項１５に記載の表示装置の制御方法の各ステップをコンピュータに実行させることを特徴とするプログラム。
【発明の詳細な説明】
【技術分野】
【０００１】
本発明は、表示装置及びその制御方法に関する。
【背景技術】
【０００２】
近年、スマートフォン、タブレット端末、等に代表されるような、可搬性のある表示装置が広く普及している。この種の表示装置はタッチパネルを有しており、ユーザは、タッチパネルを用いた直感的なタッチ操作を表示装置に対して行うことができる。タッチ操作は、指やペンでタッチパネルに直接的または間接的に触れる操作である。また、この種の表示装置では、複数の箇所に触れるタッチ操作を可能とするマルチタッチパネルが使用されることがある。マルチタッチパネルを有する表示装置は、表示画像（画面に表示された画像）の拡大、表示画像の縮小、等の処理を、複数の指を用いたジェスチャー操作に応じて行うことができる。
【０００３】
スマートフォン、タブレット端末、等の表示装置の可搬性は高いため、一般的に、ユーザは、表示装置を手に持った状態で表示装置を操作する。スマートフォンは比較的小さいため、スマートフォンの保持と操作の両方が片手で行われることが多い。一方、タブレット端末（タブレット端末の画面サイズ）はスマートフォンに比べ大きいため、一方の手でタブレット端末が保持され、他方の手で操作が行われる場合が多い。
【０００４】
図１６（Ａ），１６（Ｂ）に、タブレット端末をユーザが保持する様子の一例を示す。図１６（Ａ）は、タブレット端末を保持する手（保持手）の指がベゼル上にある様子を示す。図１６（Ｂ）は、保持手の指がベゼルからはみ出して表示部（タッチパネル内蔵ディスプレイ）に接触している様子を示す。図１６（Ａ）の場合は問題ないが、図１６（Ｂ）では、保持手の指が表示部に接触しているため、タブレット端末は、保持手の指の接触を検出し、保持手の指の接触がタッチ操作であると誤認識してしまう。
【０００５】
表示装置の操作性を向上するための従来技術は、例えば、特許文献１，２に開示されている。しかしながら、特許文献１，２に開示の技術では、タッチ操作の検出継続時間が閾値以上の場合、または、タッチ操作の押圧が閾値以上の場合に、タッチ操作が有効にされる。そのため、保持手の指による接触がタッチ操作であると誤認識されてしまう。さらに、他方の手の指で行われる所望のタッチ操作が阻害さしてしまう。
【先行技術文献】
【特許文献】
【０００６】
【特許文献１】特開２００２−２５９０４１号公報
【特許文献２】特開２０１０−１７６１７４号公報
【発明の概要】
【発明が解決しようとする課題】
【０００７】
本発明は、保持手によるユーザの意図しないタッチ操作を高精度に無効にすることができ、ひいては表示装置の操作性をより向上することができる技術を提供することを目的とする。
【課題を解決するための手段】
【０００８】
本発明の第１の態様は、
タッチ有効領域に対する、ユーザによるタッチ操作を受け付ける受付手段と、
行われたタッチ操作によってタッチされた領域であるタッチ領域と、前記行われたタッ
チ操作によるタッチの時間であるタッチ時間とに基づいて、前記行われたタッチ操作が所定のタッチ操作である場合に、前記行われたタッチ操作を無効にする無効化手段と、
を有することを特徴とする表示装置である。
【０００９】
本発明の第２の態様は、
タッチ有効領域に対する、ユーザによるタッチ操作を受け付ける受付ステップと、
行われたタッチ操作によってタッチされた領域であるタッチ領域と、前記行われたタッチ操作によるタッチの時間であるタッチ時間とに基づいて、前記行われたタッチ操作が所定のタッチ操作である場合に、前記行われたタッチ操作を無効にするステップと、
を有することを特徴とする表示装置の制御方法である。
【００１０】
本発明の第３の態様は、上述した表示装置の制御方法の各ステップをコンピュータに実行させることを特徴とするプログラムである。
【発明の効果】
【００１１】
本発明によれば、保持手によるユーザの意図しないタッチ操作を高精度に無効にすることができ、ひいては表示装置の操作性をより向上することができる。
【図面の簡単な説明】
【００１２】
【図１】実施例１に係る表示装置の外観の一例を示す外観図
【図２】実施例１に係る表示装置の構成の一例を示す図
【図３】実施例１に係るタッチ有効領域の一例を示す図
【図４】実施例１に係る表示装置の保持とタッチ領域の一例を示す図
【図５】実施例１に係る動作の一例を示すフローチャート
【図６】実施例２に係る表示装置の保持とタッチ領域の一例を示す図
【図７】実施例２に係る動作の一例を示すフローチャート
【図８】実施例３に係る表示装置の外観の一例を示す外観図
【図９】実施例３に係る表示装置の構成の一例を示す図
【図１０】実施例３に係る表示装置の保持とタッチ領域の一例を示す図
【図１１】実施例３に係る動作の一例を示すフローチャート
【図１２】実施例４に係る動作の一例を示すフローチャート
【図１３】実施例５に係る表示装置の使用とタッチ領域の一例を示す図
【図１４】実施例５に係る動作の一例を示すフローチャート
【図１５】実施例５に係る表示の一例を示す図
【図１６】タブレット端末の保持の一例を示す図
【発明を実施するための形態】
【００１３】
以下、本発明の様々な実施例について説明する。以下の実施例に係る表示装置は、例えば、直感的なタッチ操作を受け付け可能な、可搬性のある表示装置である。以下の実施例では、所定のタッチ操作が識別され、所定のタッチ操作が無効にされる。所定のタッチ操作は特に限定されないが、本実施例では、所定のタッチ操作は、「表示装置を保持する手（保持手）の指によるユーザの意図しないタッチ操作」である。なお、以下の実施例はあくまで一例であり、本発明の要旨の範囲内で以下の実施例の構成を適宜変形したり変更したりすることにより得られる構成も、本発明に含まれる。以下の複数の実施例の構成を適宜組み合わせて得られる構成も、本発明に含まれる。
【００１４】
＜実施例１＞
以下、本発明の実施例１について説明する。
（構成の説明）
まず、本実施例に係る表示装置の構成について説明する。図１（Ａ），１（Ｂ）は、本
実施例に係る表示装置１００の外観の一例を示す外観図である。図１（Ａ）は、表示装置１００の正面を示す正面図である。図１（Ｂ）は、表示装置１００を垂直方向（縦方向；上下方向）に切断して得られる断面を示す断面図である。図１（Ｂ）において、表示装置１００の左側が正面側、右側が背面側である。表示装置１００は、表示部１０１とタッチセンサ１０２を有する。
【００１５】
表示部１０１は、画面に画像を表示する。表示部１０１は、液晶パネルと光源（バックライト）を備える液晶モジュールである。なお、表示部１０１は液晶モジュールに限られない。例えば、表示部１０１として、ＯＬＥＤ（Ｏｒｇａｎｉｃ  Ｌｉｇｈｔ−ｅｍｉｔｔｉｎｇ  Ｄｉｏｄｅ）ディスプレイモジュール、電子ペーパー、ＭＥＭＳ（Ｍｉｃｒｏ
Ｅｌｅｃｔｒｏ  Ｍｅｃｈａｎｉｃａｌ  Ｓｙｓｔｅｍｓ）ディスプレイモジュール、等の表示デバイスを使用することもできる。
【００１６】
タッチセンサ（タッチパネル）１０２は、表示装置１００に対する、ユーザによるタッチ操作を受け付ける入力装置（受付装置）である。タッチ操作は、指やペンでタッチパネルに直接的または間接的に触れる（タッチする）操作である。タッチセンサ１０２は、タッチ操作によりタッチされた位置であるタッチ位置を検出し、タッチ位置の検出結果であるタッチ位置情報を出力する。タッチ位置情報は、例えば、タッチ位置の二次元座標を示す２次元座標情報である。図１（Ｂ）に示すように、タッチセンサ１０２は、表示部１０１の画面（表示面）を覆うように設けられている。ユーザは、画面に表示されたオブジェクト、画像、等に直接触れる感覚でタッチ操作を行うことができる。タッチセンサ１０２は、静電容量方式のタッチパネルであり、複数の箇所に触れるタッチ操作を可能とするマルチタッチパネルである。表示装置１００は、表示画像（画面に表示された画像）の拡大、表示画像の縮小、等の処理を、複数の指を用いたジェスチャー操作に応じて行うことができる。
【００１７】
なお、タッチセンサ１０２の配置は特に限定されない。例えば、オン・セル型、イン・セル型と呼ばれるタッチパネルが、タッチセンサ１０２として、表示部１０１に内蔵されていてもよい。また、タッチ位置の検出方式は静電容量方式に限られない。例えば、タッチ位置の検出方式は、抵抗膜方式などの他の検出方式であってもよい。
【００１８】
図２は、表示装置１００の大まかな構成の一例を示す図である。表示装置１００は、ＣＰＵ２００、ＲＯＭ２０１、ＲＡＭ２０２、ストレージ２０３、表示制御部２０４、タッチ解析部２０５、通信部２０６、表示部１０１、及び、タッチセンサ１０２を有する。ＣＰＵ２００、ＲＯＭ２０１、ＲＡＭ２０２、ストレージ２０３、表示制御部２０４、タッチ解析部２０５、及び、通信部２０６は、システムバス２０７を介して、互いに接続されている。
【００１９】
ＣＰＵ２００は、ＲＯＭ２０１またはストレージ２０３に格納されているプログラムをＲＡＭ２０２へロードし、ロードしたプログラムを実行することにより表示装置１００の各種処理を制御する。また、ＣＰＵ２００は、タッチ解析部２０５から出力されたタッチ位置情報を解析することでユーザの要求を判断し、ユーザの要求の判断結果に応じたプログラムを実行する。
【００２０】
ＲＯＭ２０１は、表示装置１００の各種処理を制御するためのプログラムが格納されている記憶装置である。ＲＯＭ２０１として、例えば、不揮発性メモリが用いられる。ＲＡＭ２０２は、ＣＰＵ２００によりＲＯＭ２０１またはストレージ２０３からロードされたプログラム、プログラム実行中に処理されるデータ、等を一時的に記憶する記憶装置である。ＲＡＭ２０２として、例えば、揮発性メモリが用いられる。ストレージ２０３は、通信部２０６を介してダウンロードされたコンテンツ、各種プログラム、等を格納するため
の記憶装置である。ストレージ２０３として、例えば、不揮発性メモリ、磁気ディスク、光ディスク、等が用いられる。
【００２１】
表示制御部２０４は、ＣＰＵ２００からの表示要求に応じて、表示部１０１の表示を制御する。例えば、表示制御部２０４は、ＣＰＵ２００からの表示要求に応じて、ＲＡＭ２０２またはストレージ２０３から表示画像データを取得し、表示画像データに基づく画像が表示されるように表示部１０１の表示を制御する。
【００２２】
タッチセンサ１０２は、タッチ操作が行われると、当該タッチ操作に対応するタッチ位置情報をタッチ解析部２０５へ出力する。タッチ解析部２０５は、タッチセンサ１０２からのタッチ位置情報に基づいて、行われたタッチ操作が保持手（表示装置１００を保持する手）の指によるユーザの意図しないタッチ操作であるか否かを判断する。そして、タッチ解析部２０５は、その判断結果に基づいて、行われたタッチ操作を無効にする。本実施例では、タッチ解析部２０５は、行われたタッチ操作（タッチセンサ１０２により検出されたタッチ操作）がユーザの意図しないタッチ操作であると判断した場合には、行われたタッチ操作を無効にする（タッチ操作の無効化）。具体的には、タッチ解析部２０５は、タッチセンサ１０２からのタッチ位置情報をＣＰＵ２００へ出力しない。一方、タッチ解析部２０５は、行われたタッチ操作がユーザの意図するタッチ操作である（行われたタッチ操作がユーザの意図しないタッチ操作でない）と判断した場合には、行われたタッチ操作を有効にする（タッチ操作の有効化）。具体的には、タッチ解析部２０５は、タッチセンサ１０２からのタッチ位置情報をＣＰＵ２００へ出力する。なお、行われたタッチ操作がユーザの意図しないタッチ操作である場合に、行われたタッチ操作が無効にされれば、行われたタッチ操作がユーザの意図しないタッチ操作であるか否かの判断は省略されてもよい。
【００２３】
通信部２０６は、有線通信または無線通信により外部機器、ネットワーク（インターネットなど）、等に接続して、コンテンツ、各種プログラム、等をダウンロードする。通信部２０６は、ダウンロードしたコンテンツ、各種プログラム、等をストレージ２０３へ転送する。
【００２４】
（識別方法の説明）
次に、本実施例に係るタッチ操作の判断方法（識別方法）について、図２，３，４（Ａ），４（Ｂ）を用いて説明する。図３は、タッチ有効領域（第１のタッチ有効領域）３００の一例を示す図である。タッチ有効領域３００は、タッチ操作を受け付け可能な領域である。タッチ有効領域３００は、画面（タッチセンサ１０２）の中央部である。画面の中央部は、例えば、画面全体の領域から画面の縁部を除いて得られる領域である。画面の縁部は、例えば、画面の縁から、画面の縁から所定距離だけ離れた位置までの領域である。
【００２５】
なお、タッチ有効領域３００は、画面の中央部に限られない。タッチ有効領域３００は、画面の少なくとも一部の領域であればよい。例えば、タッチ有効領域３００が画面全体の領域と一致してもよい。タッチ有効領域３００は、メーカーによって予め定められた領域であってもよいし、プログラム、ユーザ操作、表示装置１００の設定、表示装置１００の使用環境、等に応じて設定された領域であってもよい。
【００２６】
タッチ解析部２０５は、タッチセンサ１０２からのタッチ位置情報に基づいて、行われたタッチ操作によってタッチされた領域であるタッチ領域を判断する。図４（Ａ）は、表示装置１００をユーザが保持する様子の一例を示す。図４（Ｂ）は、タッチ解析部２０５によって判断されたタッチ領域４００の一例を示す。図４（Ｂ）のタッチ領域４００は、図４（Ａ）の状態（保持の状態）に対応するタッチ領域である。
【００２７】
タッチ解析部２０５は、行われたタッチ操作によるタッチの時間（継続時間）であるタッチ時間を計測する。タッチ時間は、「１つのタッチ領域に対応するタッチ操作がタッチセンサ１０２によって検出され続ける時間」とも言える。例えば、タッチセンサ１０２の検出結果、タッチ領域の時間変化、等を監視することにより、タッチ時間を計測することができる。そして、タッチ解析部２０５は、タッチ領域とタッチ時間に基づいて、行われたタッチ操作がユーザの意図しないタッチ操作であるか否かを判断する。
【００２８】
図４（Ｂ）に示すように、保持手の指によるユーザの意図しないタッチ操作では、タッチ領域がタッチ有効領域の縁部に重なり、且つ、タッチ時間が長いことが多い。そこで、本実施例では、タッチ解析部２０５は、タッチ領域がタッチ有効領域の縁部に重なり、且つ、タッチ時間が時間閾値「２秒」以上である場合に、行われたタッチ操作がユーザの意図しないタッチ操作である、と判断する。タッチ有効領域の縁部は、例えば、タッチ有効領域の縁から、タッチ有効領域の縁から所定距離だけ離れた位置までの領域である。なお、時間閾値は２秒より長くても短くてもよい。時間閾値は、メーカーによって予め定められた時間であってもよいし、プログラム、ユーザ操作、表示装置１００の設定、表示装置１００の使用環境、等に応じて設定された時間であってもよい。
【００２９】
具体的には、タッチ解析部２０５は、タッチ領域がタッチ有効領域の縁部に重なる場合に、タッチ時間を計測する。「タッチ領域がタッチ有効領域の縁部に重なる場合」は、「タッチ領域がタッチ有効領域の少なくとも一部を含む場合」とも言える。そして、タッチ解析部２０５は、計測されたタッチ時間が時間閾値以上になった場合に、行われたタッチ操作がユーザの意図しないタッチ操作である、と判断する。
【００３０】
（タッチ解析部２０５の動作の説明）
次に、図２，５を用いてタッチ解析部２０５の動作について説明する。図５は、タッチ解析部２０５の動作の一例を示すフローチャートである。
【００３１】
まず、タッチ解析部２０５は、タッチセンサ１０２からのタッチ位置情報に基づいて、タッチ領域を判断する（Ｓ５００）。そして、タッチ解析部２０５は、Ｓ５００で判断したタッチ領域がタッチ有効領域の縁部に重なっているか否かを判断する（Ｓ５０１）。
【００３２】
Ｓ５００で判断したタッチ領域がタッチ有効領域の縁部に重なっていない場合には、タッチ解析部２０５は、行われたタッチ操作（Ｓ５００で判断したタッチ領域に対応するタッチ操作）がユーザの意図するタッチ操作であると判断する。そして、タッチ解析部２０５は、行われたタッチ操作を有効にする（Ｓ５０５）。次に、タッチ解析部２０５は、タッチセンサ１０２からのタッチ位置情報（行われたタッチ操作のタッチ位置情報）を、ＣＰＵ２００へ出力する（Ｓ５０６）。
【００３３】
一方、Ｓ５００で判断したタッチ領域がタッチ有効領域の縁部に重なっている場合には、タッチ解析部２０５は、行われたタッチ操作のタッチ時間を計測する（Ｓ５０２）。そして、タッチ解析部２０５は、Ｓ５０２で計測したタッチ時間が時間閾値以上になったか否かを判断する（Ｓ５０３）。
【００３４】
Ｓ５０２で計測したタッチ時間が時間閾値以上にならなかった場合には、タッチ解析部２０５は、行われたタッチ操作がユーザの意図するタッチ操作であると判断し、行われたタッチ操作を有効にする（Ｓ５０５）。そして、タッチ解析部２０５は、タッチセンサ１０２からのタッチ位置情報を、ＣＰＵ２００へ出力する（Ｓ５０６）。
【００３５】
一方、Ｓ５０２で計測したタッチ時間が時間閾値以上になった場合には、タッチ解析部２０５は、タッチ解析部２０５は、行われたタッチ操作がユーザの意図しないタッチ操作
であると判断し、行われたタッチ操作を無効にする（Ｓ５０４）。行われたタッチ操作が無効にされた場合には、タッチセンサ１０２からのタッチ位置情報は、ＣＰＵ２００へ出力されない。
【００３６】
以上述べたように、本実施例によれば、タッチ領域とタッチ時間に基づいて、行われたタッチ操作がユーザの意図しないタッチ操作であるか否かが判断される。具体的には、タッチ領域がタッチ有効領域の縁部に重なり、且つ、タッチ時間が時間閾値以上である場合に、行われたタッチ操作がユーザの意図しないタッチ操作である、と判断される。そして、行われたタッチ操作がユーザの意図しないタッチ操作であると判断された場合に、行われたタッチ操作が無効にされる。上述したように、保持手の指によるユーザの意図しないタッチ操作では、タッチ領域がタッチ有効領域の縁部に重なり、且つ、タッチ時間が長いことが多い。そのため、本実施例によれば、保持手によるユーザの意図しないタッチ操作を高精度に無効にすることができ、ひいては表示装置の操作性をより向上することができる。
【００３７】
＜実施例２＞
以下、本発明の実施例２について説明する。実施例１では、タッチ領域がタッチ有効領域の縁部に重なり、且つ、タッチ時間が時間閾値以上であるタッチ操作が、保持手によるユーザの意図しないタッチ操作として識別される例を説明した。本実施例では、保持手によるユーザの意図しないタッチ操作のタッチ領域がタッチ有効領域の縁部に重ならない場合であっても、保持手によるユーザの意図しないタッチ操作を高精度に識別できる例を説明する。なお、以下では、実施例１と異なる構成や処理について詳しく説明し、実施例１と同様の構成や処理についての説明は省略する。本実施例に係る表示装置の構成は、実施例１（図２）と同じである。
【００３８】
（識別方法の説明）
本実施例に係るタッチ操作の判断方法（識別方法）について、図２，６（Ａ），６（Ｂ），６（Ｃ）を用いて説明する。実施例１と同様に、タッチ解析部２０５は、タッチセンサ１０２からのタッチ位置情報に基づいて、行われたタッチ操作によってタッチされた領域であるタッチ領域を判断する。
【００３９】
図６（Ａ）は、表示装置１００の正面側から見た場合の、表示装置１００をユーザが保持する様子の一例を示す正面図である。図６（Ｂ）は、表示装置１００の側面側から見た場合の、表示装置１００をユーザが保持する様子の一例を示す側面図である。図６（Ａ），６（Ｂ）の手６００は保持手であり、手６０１は操作手（所望のタッチ操作を行う手）である。図６（Ａ）の状態（保持と操作の状態）は、図６（Ｂ）の状態と同じである。図６（Ｃ）は、タッチ解析部２０５によって判断されたタッチ領域６０２，６０３の一例を示す。図６（Ｃ）のタッチ領域６０２，６０３は、図６（Ａ），６（Ｂ）の状態に対応するタッチ領域である。図６（Ｃ）のタッチ領域６０２は、図６（Ａ），６（Ｂ）の保持手６００によってタッチされた領域であり、タッチ領域６０３は、操作手６０１によってタッチされた領域である。
【００４０】
図６（Ｃ）に示すように、保持手に対応するタッチ領域がタッチ有効領域の縁部に重ならないことがあるが、保持手に対応するタッチ領域は、操作手に対応するタッチ領域よりも大きいことが多い。そこで、本実施例では、タッチ解析部２０５は、タッチ領域のサイズがサイズ閾値以上であり、且つ、タッチ時間が時間閾値以上である場合に、行われたタッチ操作がユーザの意図しないタッチ操作である、と判断する。
【００４１】
具体的には、タッチ解析部２０５は、実施例１と同様に、タッチ領域がタッチ有効領域の縁部に重なる場合に、タッチ時間を計測する。そして、タッチ解析部２０５は、計測さ
れたタッチ時間が時間閾値以上になった場合に、行われたタッチ操作がユーザの意図しないタッチ操作である、と判断する。
【００４２】
また、タッチ解析部２０５は、タッチ領域がタッチ有効領域の縁部に重ならない場合に、タッチ領域のサイズを算出する。本実施例では、タッチ領域のサイズとして、タッチ領域の面積が算出される。そして、タッチ解析部２０５は、タッチ領域のサイズがサイズ閾値「２ｃｍ２」以上である場合に、タッチ時間を計測する。そして、タッチ解析部２０５は、計測されたタッチ時間が時間閾値以上になった場合に、行われたタッチ操作がユーザの意図しないタッチ操作である、と判断する。
【００４３】
なお、タッチ領域のサイズは、タッチ領域の面積に限られない。例えば、タッチ領域のサイズとして、タッチ領域に対応する表示素子の数、タッチ領域に対応する画素の数、等が使用されてもよい。また、サイズ閾値は２ｃｍ２より大きくても小さくてもよい。サイズ閾値は、メーカーによって予め定められたサイズであってもよいし、プログラム、ユーザ操作、表示装置１００の設定、表示装置１００の使用環境、等に応じて設定されたサイズであってもよい。
【００４４】
（タッチ解析部２０５の動作の説明）
次に、図２，７を用いて、本実施例に係るタッチ解析部２０５の動作について説明する。図７は、本実施例に係るタッチ解析部２０５の動作の一例を示すフローチャートである。
【００４５】
まず、タッチ解析部２０５は、タッチセンサ１０２からのタッチ位置情報に基づいて、タッチ領域を判断する（Ｓ８００）。そして、タッチ解析部２０５は、Ｓ８００で判断したタッチ領域がタッチ有効領域の縁部に重なっているか否かを判断する（Ｓ８０１）。Ｓ８００の処理は、実施例１（図５）のＳ５００の処理と同じであり、Ｓ８０１の処理は、Ｓ５０１の処理と同じである。
【００４６】
Ｓ８００で判断したタッチ領域がタッチ有効領域の縁部に重なっていない場合には、Ｓ８０１からＳ８０２へ処理が進められ、Ｓ８００で判断したタッチ領域がタッチ有効領域の縁部に重なっている場合には、Ｓ８０１からＳ８０４へ処理が進められる。なお、Ｓ８０１の処理は省略されてもよい。Ｓ８００からＳ８０２へ処理が進められてもよい。
【００４７】
Ｓ８０２にて、タッチ解析部２０５は、Ｓ８００で判断したタッチ領域のサイズを算出する。そして、タッチ解析部２０５は、Ｓ８０２で算出したサイズがサイズ閾値以上であるか否かを判断する（Ｓ８０３）。Ｓ８０２で算出したサイズがサイズ閾値以上である場合には、Ｓ８０３からＳ８０４へ処理が進められる。Ｓ８０２で算出したサイズがサイズ閾値未満である場合には、タッチ解析部２０５は、行われたタッチ操作（Ｓ８００で判断したタッチ領域に対応するタッチ操作）がユーザの意図するタッチ操作であると判断する。そして、Ｓ８０３からＳ８０７へ処理が進められる。
【００４８】
Ｓ８０４〜Ｓ８０８の処理は、実施例１（図５）のＳ５０２〜Ｓ５０６の処理と同じであるため、Ｓ８０４〜Ｓ８０８の処理についての説明は省略する。
【００４９】
以上述べたように、本実施例によれば、タッチ領域のサイズがサイズ閾値以上であり、且つ、タッチ時間が時間閾値以上である場合に、行われたタッチ操作がユーザの意図しないタッチ操作である、と判断される。そして、行われたタッチ操作がユーザの意図しないタッチ操作であると判断された場合に、行われたタッチ操作が無効にされる。上述したように、保持手に対応するタッチ領域は、操作手に対応するタッチ領域よりも大きいことが多い。そのため、本実施例によれば、保持手によるユーザの意図しないタッチ操作を高精
度に無効にすることができ、ひいては表示装置の操作性をより向上することができる。例えば、保持手によるユーザの意図しないタッチ操作のタッチ領域がタッチ有効領域の縁部に重ならない場合であっても、保持手によるユーザの意図しないタッチ操作を無効にすることができる。
【００５０】
なお、複数のサイズ閾値が予め用意され、複数のサイズ閾値の１つが選択されて使用されてもよい。例えば、指の太さはユーザに依るため、好ましいサイズ閾値もユーザに依る。そのため、複数のユーザにそれぞれ対応する複数のサイズ閾値が記憶部に予め記録され、現在のユーザに対応するサイズ閾値が複数のサイズ閾値から選択されて使用されてもよい。
【００５１】
＜実施例３＞
以下、本発明の実施例３について説明する。実施例１，２では、表示装置が１つのタッチセンサを有する例を説明した。本実施例では、表示装置が複数のタッチセンサを有する例を説明する。複数のタッチセンサの配置は特に限定されないが、本実施例では、表示装置の表面側と、表示装置の裏面側とのそれぞれにタッチセンサが設けられた例を説明する。本実施例では、ユーザは、表示装置の正面に対してのみならず、表示装置の背面に対してもタッチ操作を行うことができる。「表示装置の正面」は、例えば、表面と裏面のうち、ユーザが表示装置を使用した際にユーザに近い側の面、ユーザに見られる面、等である。「表示装置の背面」は、例えば、表面と裏面のうち、ユーザが表示装置を使用した際にユーザから遠い側の面、ユーザに見られない面、等である。なお、以下では、実施例１と異なる構成や処理について詳しく説明し、実施例１と同様の構成や処理についての説明は省略する。
【００５２】
（構成の説明）
まず、本実施例に係る表示装置の構成について説明する。図８（Ａ）〜８（Ｃ）は、本実施例に係る表示装置９００の外観の一例を示す外観図である。図８（Ａ）は、表示装置９００の正面を示す正面図である。表示装置９００の正面は表示装置９００の表面である。図８（Ｂ）は表示装置９００の背面を示す背面図である。表示装置９００の背面は表示装置９００の裏面である。図８（Ｃ）は、表示装置９００を垂直方向に切断して得られる断面図である。図８（Ｃ）において、表示装置９００の左側が正面側、右側が背面側である。表示装置９００は、表示部９０１、第１タッチセンサ９０２、及び、第２タッチセンサ９０３を有する。
【００５３】
表示部９０１は、画面に画像を表示する。表示部９０１は、表示装置９００の背景を透過可能な透過型のＯＬＥＤディスプレイモジュールである。なお、表示部９０１はＯＬＥＤディスプレイモジュールに限られない。また、表示部９０１は、表示装置９００の背景を透過不可能な表示部であってもよい。
【００５４】
第１タッチセンサ９０２は、第１タッチセンサ９０２のタッチ有効領域（第１のタッチ有効領域）に対する、ユーザによるタッチ操作を受け付ける入力装置（第１受付装置）である。第２タッチセンサ９０３は、第２タッチセンサ９０３のタッチ有効領域（第２のタッチ有効領域）に対する、ユーザによるタッチ操作を受け付ける入力装置（第２受付装置）である。第１タッチセンサ９０２のタッチ有効領域は、第１タッチセンサ９０２の少なくとも一部の領域であり、第２タッチセンサ９０３のタッチ有効領域は、第２タッチセンサ９０３の少なくとも一部の領域である。第１タッチセンサ９０２と第２タッチセンサ９０３のそれぞれは、静電容量方式のタッチパネルであり、マルチタッチパネルである。
【００５５】
図８（Ｃ）に示すように、第１タッチセンサ９０２と第２タッチセンサ９０３の間に表示部９０１が設けられている。そして、上述したように、表示部９０１は表示装置９００
の背景を透過することができる。そのため、ユーザは、表示装置９００の表面側からのみならず、表示装置９００の背面側からも表示部９０１によって表示された画像を確認することができる。従って、表示装置９００では、表示装置９００の表面側と裏面側の両方に画面が存在する。そして、第１のタッチ有効領域と第２のタッチ有効領域のそれぞれは、「画面の少なくとも一部の領域」とも言える。
【００５６】
第１タッチセンサ９０２は、第１タッチセンサ９０２に対するタッチ操作のタッチ位置を検出し、タッチ位置情報（第１タッチ位置情報）を出力する。第２タッチセンサ９０３は、第２タッチセンサ９０３に対するタッチ操作のタッチ位置を検出し、タッチ位置情報（第２タッチ位置情報）を出力する。図８（Ｃ）に示すように、第１タッチセンサ９０２は、表示装置９００の正面側に設けられている。そのため、ユーザは、画面に表示されたオブジェクト、画像、等に表示装置９００の正面側から直接触れる感覚で、第１タッチセンサ９０２に対するタッチ操作を行うことができる。また、図８（Ｃ）に示すように、第２タッチセンサ９０３は、表示装置９００の背面側に設けられている。そのため、ユーザは、画面に表示されたオブジェクト、画像、等に表示装置９００の背面側から直接触れる感覚で、第２タッチセンサ９０３に対するタッチ操作を行うことができる。つまり、第１タッチセンサ９０２は、表示装置９００の正面に対するタッチ操作の受け付けを担い、第２タッチセンサ９０３は、表示装置９００の背面に対するタッチ操作の受け付けを担う。
【００５７】
なお、第１タッチセンサ９０２と第２タッチセンサ９０３の配置は特に限定されない。また、タッチ位置の検出方式は静電容量方式に限られない。
【００５８】
図９は、表示装置９００の大まかな構成の一例を示す図である。図９において、実施例１（図２）と同じ機能部には、実施例１と同じ符号が付されている。ＣＰＵ１００４は、実施例１のＣＰＵ２００と同様の機能を有する。但し、ＣＰＵ１００４は、タッチ解析部１００５から出力された第１タッチ位置情報と、タッチ解析部１００５から出力された第２タッチ位置情報との少なくとも一方を解析することで、ユーザの要求を判断する。そして、ＣＰＵ１００４は、ユーザの要求の判断結果に応じたプログラムを実行する。タッチ解析部１００５は、実施例１のタッチ解析部２０５と同様の機能を有する。但し、タッチ解析部１００５は、第１タッチ位置情報と第２タッチ位置情報に基づいて、第１タッチセンサ９０２に対するタッチ操作と、第２タッチセンサ９０３に対するタッチ操作とが、保持手によるユーザの意図しないタッチ操作であるか否かを判断する。
【００５９】
（識別方法の説明）
次に、本実施例に係るタッチ操作の判断方法（識別方法）について、図９，１０（Ａ），１０（Ｂ），１０（Ｃ）を用いて説明する。タッチ解析部１００５は、第１タッチ位置情報に基づいて、第１タッチセンサ９０２に対するタッチ操作のタッチ領域（第１タッチ領域）を判断する。また、タッチ解析部１００５は、第２タッチ位置情報に基づいて、第２タッチセンサ９０３に対するタッチ操作のタッチ領域（第２タッチ領域）を判断する。
【００６０】
図１０（Ａ）は、表示装置９００の正面側から見た場合の、表示装置９００をユーザが保持する様子の一例を示す正面図である。図１０（Ａ）の手１１００は保持手である。図１０（Ｂ）は、タッチ解析部１００５によって判断された第２タッチ領域１１０１の一例を示す。図１０（Ｃ）は、タッチ解析部１００５によって判断された第１タッチ領域１１０２の一例を示す。図１０（Ｂ）の第２タッチ領域１１０１と、図１０（Ｃ）の第２タッチ領域１１０１とは、図１０（Ａ）の状態（保持の状態）に対応するタッチ領域である。
【００６１】
図１０（Ｂ），１０（Ｃ）に示すように、保持手に対応する第１タッチ領域と、保持手に対応する第２タッチ領域との位置関係は、所定の位置関係となることが多い。例えば、第１タッチ領域が第２タッチ領域と対向することが多い。
【００６２】
そこで、本実施例では、タッチ解析部１００５は、第２タッチ領域に基づいて、第１タッチセンサ９０２（第１のタッチ有効領域）の少なくとも一部の領域である識別領域を決定する。具体的には、タッチ解析部１００５は、全ての第２タッチ領域１１０１を含む領域１１０３を、対応識別領域として決定する。そして、タッチ解析部１００５は、対応識別領域１１０３に対応する領域１１０４を、識別領域として決定する。具体的には、画面（第１タッチセンサ９０２；第２タッチセンサ９０３）に垂直な方向において対応識別領域１１０３を第１タッチセンサ９０２に投影して得られる領域が、識別領域として決定される。
【００６３】
なお、対応識別領域の決定方法と識別領域の決定方法とは上記方法に限られない。例えば、一部の第２タッチ領域（１つ以上のタッチ領域）を含む領域が、対応識別領域として決定されてもよい。識別領域のサイズは、対応識別領域のサイズと異なっていてもよい。対応識別領域（第２タッチ領域）との位置関係が所定の位置関係となる領域が、識別領域として決定されてもよい。対応識別領域を決定する処理は行われずに、第２タッチ領域から識別領域が直接決定されてもよい。また、第２タッチ領域が複数存在する例を示したが、保持方法に依っては第２タッチ領域が１つしか存在しないこともある。
【００６４】
そして、以下の条件１，２が満たされる場合に、タッチ解析部１００５は、第１タッチセンサ９０２に対するタッチ操作と、第２タッチセンサ９０３に対するタッチ操作とがユーザの意図しないタッチ操作である、と判断する。
条件１：第１タッチ領域が識別領域に重なる。
条件２：第１タッチセンサ９０２に対するタッチ操作のタッチ時間が時間閾値以上である。
【００６５】
具体的には、タッチ解析部１００５は、第１タッチ領域が識別領域に重なる場合に、第１タッチ領域に対応するタッチ操作のタッチ時間を計測する。図１０（Ｃ）では、第１タッチ領域１１０２が識別領域１１０４に重なっているため、第１タッチ領域１１０２に対応するタッチ操作のタッチ時間が計測される。そして、タッチ解析部１００５は、計測されたタッチ時間が時間閾値以上になった場合に、第１タッチセンサ９０２に対するタッチ操作と、第２タッチセンサ９０３に対するタッチ操作とがユーザの意図しないタッチ操作である、と判断する。例えば、図１０（Ｂ）の全ての第２タッチ領域１１０１に対応するタッチ操作と、図１０（Ｃ）の第１タッチ領域１１０２に対応するタッチ操作とがユーザの意図しないタッチ操作である、と判断される。
【００６６】
（タッチ解析部１００５の動作の説明）
次に、図９，１１を用いて、タッチ解析部１００５の動作について説明する。図１１は、係るタッチ解析部１００５の動作の一例を示すフローチャートである。
【００６７】
まず、タッチ解析部１００５は、タッチ領域の判断を行う（Ｓ１２００）。具体的には、タッチ解析部１００５は、第１タッチセンサ９０２からの第１タッチ位置情報に基づいて、第１タッチ領域を判断する。また、タッチ解析部１００５は、第２タッチセンサ９０３からの第２タッチ位置情報に基づいて、第２タッチ領域を判断する。次に、タッチ解析部１００５は、Ｓ１２００で判断した第２タッチ領域に基づいて、対応識別領域を決定する（Ｓ１２０１）。そして、タッチ解析部１００５は、Ｓ１２０１で決定した対応識別領域に基づいて、識別領域を決定する（Ｓ１２０２）。次に、タッチ解析部１００５は、Ｓ１２００で判断した第１タッチ領域がＳ１２０２で決定した識別領域に重なっているか否かを判断する（Ｓ１２０３）。
【００６８】
Ｓ１２００で判断した第１タッチ領域がＳ１２０２で決定した識別領域に重なっていな
い場合には、タッチ解析部１００５は、行われたタッチ操作がユーザの意図するタッチ操作であると判断する。ここで、「行われたタッチ操作」は、「Ｓ１２００で判断された第１タッチ領域に対応するタッチ操作、及び、Ｓ１２００で判断された第２タッチ領域に対応するタッチ操作」を意味する。また、「Ｓ１２００で判断された第２タッチ領域」は、「識別領域を決定する処理に使用された第２タッチ領域」を意味する。そして、タッチ解析部１００５は、行われたタッチ操作を有効にする（Ｓ１２０７）。次に、タッチ解析部１００５は、行われたタッチ操作のタッチ位置情報（第１タッチセンサ９０２からの第１タッチ位置情報、及び、第２タッチセンサ９０３からの第２タッチ位置情報）を、ＣＰＵ１００４へ出力する（Ｓ１２０８）。
【００６９】
一方、Ｓ１２００で判断した第１タッチ領域がＳ１２０２で決定した識別領域に重なっている場合には、タッチ解析部１００５は、Ｓ１２００で判断した第１タッチ領域に対応するタッチ操作のタッチ時間を計測する（Ｓ１２０４）。そして、タッチ解析部１００５は、Ｓ１２０４で計測したタッチ時間が時間閾値以上になったか否かを判断する（Ｓ１２０５）。
【００７０】
Ｓ１２０４で計測したタッチ時間が時間閾値以上にならなかった場合には、タッチ解析部１００５は、行われたタッチ操作がユーザの意図するタッチ操作であると判断し、行われたタッチ操作を有効にする（Ｓ１２０７）。そして、タッチ解析部１００５は、行われたタッチ操作のタッチ位置情報を、ＣＰＵ１００４へ出力する（Ｓ１２０８）。
【００７１】
一方、Ｓ１２０４で計測したタッチ時間が時間閾値以上になった場合には、タッチ解析部１００５は、タッチ解析部１００５は、行われたタッチ操作がユーザの意図しないタッチ操作であると判断し、行われたタッチ操作を無効にする（Ｓ１２０６）。行われたタッチ操作が無効にされた場合には、行われたタッチ操作のタッチ位置情報は、ＣＰＵ１００４へ出力されない。
【００７２】
以上述べたように、本実施例によれば、第２タッチ領域に基づいて、第１のタッチ有効領域の少なくとも一部の領域である識別領域が決定される。また、第１タッチ領域が識別領域に重なり、且つ、第１タッチ領域に対応するタッチ操作のタッチ時間が時間閾値以上である場合に、行われたタッチ操作がユーザの意図しないタッチ操作である、と判断される。それにより、保持手によるユーザの意図しないタッチ操作を高精度に無効にすることができ、ひいては表示装置の操作性をより向上することができる。
【００７３】
なお、本実施例では、第１のタッチ有効領域が表示装置の表面側の領域であり、第２のタッチ有効領域が表示装置の裏面側の領域である例を説明したが、これに限られない。表示装置の表面側の領域が第１のタッチ有効領域として使用され、表示装置の裏面側の領域が第２のタッチ有効領域として使用されてもよい。即ち、第１タッチセンサ９０２のタッチ有効領域が第２のタッチ有効領域として使用され、第２タッチセンサ９０３のタッチ有効領域が第１のタッチ有効領域として使用されてもよい。である例を説明したが、これに限られない。
【００７４】
また、本実施例では、表示装置の表面が表示装置の正面であり、表示装置の裏面が表示装置の背面である例を説明したが、これに限られない。表示装置の裏面が表示装置の正面として使用され、表示装置の表面が表示装置の背面として使用されてもよい。そして、表示装置の正面側の領域が第１のタッチ有効領域として使用され、表示装置の背面側の領域が第２のタッチ有効領域として使用されるように、第１のタッチ有効領域と第２のタッチ有効領域が切り替えられながら使用されてもよい。表示装置の背面側の領域が第１のタッチ有効領域として使用され、表示装置の正面側の領域が第２のタッチ有効領域として使用されるように、第１のタッチ有効領域と第２のタッチ有効領域が切り替えられながら使用
されてもよい。
【００７５】
なお、表示装置の正面と表示装置の背面との判断の方法は、特に限定されない。図１０（Ｂ），１０（Ｃ）に示すように、保持手が表示装置の背面にタッチしたタッチ領域の数は、一般的に、保持手が表示装置の正面にタッチしたタッチ領域の数よりも多い。そのため、表示装置の表面におけるタッチ領域の数と、表示装置の裏面におけるタッチ領域の数とに基づいて、表示装置の正面と表示装置の背面とを判断することができる。具体的には、表示装置の表面と表示装置の裏面のうち、タッチ領域の数が多い面を正面、タッチ領域の数が少ない面を背面として検出することができる。また、表示装置内に加速度センサを設け、加速度センサの検出値に基づいて表示装置の正面と表示装置の背面とを判断することもできる。
【００７６】
＜実施例４＞
以下、本発明の実施例４について説明する。本実施例では、表示装置の操作性をより向上することができる例を説明する。なお、以下では、実施例３と異なる構成や処理について詳しく説明し、実施例３と同様の構成や処理についての説明は省略する。本実施例に係る表示装置の構成は、実施例３（図９）と同じである。但し、本実施例では、タッチ解析部１００５は、無効にされたタッチ操作の継続中に他のタッチ操作が行われた場合に、当該他のタッチ操作を有効にする。無効にされたタッチ操作の継続中に行われる他のタッチ操作は、実施例１〜３の無効化の条件を満たしていても、ユーザの意図するタッチ操作である可能性が高い。そのため、タッチ解析部１００５の上記処理により、ユーザの意図するタッチ操作の阻害を抑制することができ、表示装置の操作性をより向上することができる。
【００７７】
（タッチ解析部１００５の動作の説明）
次に、図９，１２を用いて、本実施例に係るタッチ解析部１００５の動作について説明する。図１２は、本実施例に係るタッチ解析部１００５の動作の一例を示すフローチャートである。Ｓ１４００〜Ｓ１４０３の処理は、実施例３（図１１）のＳ１２００〜Ｓ１２０３の処理と同じであり、Ｓ１４０５〜Ｓ１４０９の処理は、Ｓ１２０４〜Ｓ１２０８の処理と同じである。本実施例では、Ｓ１４００で判断した第１タッチ領域がＳ１４０２で決定した識別領域に重なっている場合には、Ｓ１４０３からＳ１４０４へ処理が進められる。
【００７８】
Ｓ１４０４にて、タッチ解析部１００５は、無効にされたタッチ操作が継続中であるか否かを判断する。Ｓ１４０４の判断は、例えば、タッチ操作の検出結果、タッチ領域の時間変化、等を監視することにより、実現することができる。無効にされたタッチ操作が継続中である場合には、Ｓ１４００で新たに判断した第１タッチ領域に対応するタッチ操作がユーザの意図するタッチ操作である、と判断する。そして、Ｓ１４０８へ処理が進められる。無効にされたタッチ操作が継続中でない（存在しない）場合には、Ｓ１４０５へ処理が進められる。
【００７９】
以上述べたように、本実施例によれば、無効にされたタッチ操作の継続中に他のタッチ操作が行われた場合に、当該他のタッチ操作が有効にされる。それにより、ユーザの意図するタッチ操作の阻害を抑制することができ、表示装置の操作性をより向上することができる。
【００８０】
＜実施例５＞
以下、本発明の実施例５について説明する。本実施例では、表示装置の操作性をより向上することができる例を説明する。実施例１〜４によれば、ユーザの意図しないタッチ操作を高精度に無効にすることができる。しかしながら、ユーザの意図するタッチ操作がユ
ーザの意図しないタッチ操作であると誤判断され、ユーザの意図するタッチ操作が無効にされることがある。そこで、本実施例では、表示装置は、行われたタッチ操作を無効にした場合に所定の通知を行う。それにより、表示装置の操作性をより向上することができる。例えば、タッチ操作が無効にされたことをユーザに把握させたり、無効にされないタッチ操作の実行をユーザに促したりすることができる。なお、以下では、実施例１と異なる構成や処理について詳しく説明し、実施例１と同様の構成や処理についての説明は省略する。
【００８１】
（構成の説明）
本実施例に係る表示装置の構成は、実施例１（図２）と同じである。但し、本実施例では、タッチ解析部２０５は、タッチ操作を無効にした場合に、タッチ操作の無効に関する情報であるタッチ無効情報をＣＰＵ２００へ出力する。本実施例では、タッチ無効情報は、タッチ操作が無効にされたこと示す識別子と、無効にされたタッチ操作に対応するタッチ位置情報とを含む。なお、タッチ操作が無効にされたことを把握できる情報であれば、タッチ無効情報は、どのような情報であってもよい。例えば、タッチ操作が無効にされたこと示す識別子がタッチ無効情報として使用されてもよい。
【００８２】
また、本実施例では、ＣＰＵ２００は、タッチ解析部２０５からのタッチ無効情報に基づいて、上述した所定の通知に対応する表示制御の実行を指示する表示要求を、表示制御部２０４へ出力する。それにより、所定の通知に対応する表示制御が、表示制御部２０４によって行われる。所定の通知（所定の通知に対応する表示制御）は、タッチ解析部２０５からタッチ無効情報が出力される度（タッチ操作が無効にされる度）に行われてもよい。しかしながら、一般的に、タッチ操作に応じた処理は、タッチ位置に操作対象（アイコンなどのオブジェクト）が存在する場合に行われる。そのため、本実施例では、表示装置は、無効にされたタッチ操作に対応するタッチ位置に操作対象が存在する場合に、所定の通知を行う。具体的には、ＣＰＵ２００は、タッチ解析部２０５からのタッチ無効情報（タッチ無効情報に含まれたタッチ位置情報）に基づいて、無効にされたタッチ操作に対応するタッチ位置に操作対象が存在するか否かを判断する。そして、ＣＰＵ２００は、無効にされたタッチ操作に対応するタッチ位置に操作対象が存在する場合に、上述した表示要求を表示制御部２０４へ出力する。
【００８３】
図１３（Ａ），１３（Ｂ）を用いて、本実施例に係るＣＰＵ２００の処理の具体例を説明する。図１３（Ａ）は、本実施例に係る表示装置１００が使用される様子の一例を示す。図１３（Ａ）の符号１６００は手を示す。図１３（Ｂ）は、本実施例に係るタッチ解析部２０５によって判断されたタッチ領域１６０２の一例を示す。図１３（Ｂ）のタッチ領域１６０２は、図１３（Ａ）の状態（使用の状態）に対応するタッチ領域である。図１３（Ａ），１３（Ｂ）では、操作対象である複数のオブジェクト１６０１が画面に表示されている。そして、タッチ領域１６０２にオブジェクト１６０１が表示されている。そのため、ＣＰＵ２００は、タッチ領域１６０２に対応するタッチ操作が無効にされた場合に、上述した表示要求を表示制御部２０４へ出力する。
【００８４】
（動作の説明）
次に、図２，１４を用いて、所定の通知に関する動作ついて説明する。図１４は、所定の通知に関する動作の一例を示すフローチャートである。
【００８５】
まず、タッチ解析部２０５は、行われたタッチ操作がユーザの意図しないタッチ操作であるか否かを判断する（Ｓ１７００）。Ｓ１７００では、例えば、図５のフローチャート、図７のフローチャート、図１１のフローチャート、または、図１２のフローチャートが実行される。次に、タッチ解析部２０５は、行われたタッチ操作が無効にされたか否かを判断する（Ｓ１７０１）。行われたタッチ操作が無効にされなかった場合（行われたタッ
チ操作が有効にされた場合）には、本フローチャートが終了される。
【００８６】
行われたタッチ操作が無効にされた場合には、タッチ解析部２０５は、タッチ無効情報をＣＰＵ２００へ出力する（Ｓ１７０２）。そして、ＣＰＵ２００は、Ｓ１７０２でタッチ解析部２０５から出力されたタッチ無効情報に基づいて、無効にされたタッチ操作に対応するタッチ位置に操作対象であるオブジェクトが表示されているか否かを判断する（Ｓ１７０３）。無効にされたタッチ操作に対応するタッチ位置に操作対象であるオブジェクトが表示されていない場合には、本フローチャートが終了される。無効にされたタッチ操作に対応するタッチ位置に操作対象であるオブジェクトが表示されている場合には、ＣＰＵ２００は、所定の通知に対応する表示制御の実行を指示する表示要求を、表示制御部２０４へ出力する（Ｓ１７０４）。それにより、所定の通知に対応する表示制御が、表示制御部２０４によって行われる。
【００８７】
図１５は、所定の通知に対応する表示制御が行われた場合の表示の一例を示す。所定の通知は、行われたタッチ操作が無効にされたことの通知と、無効にされないタッチ操作の実行を促す通知とを含む。所定の通知に対応する表示制御により、ＯＳＤ（Ｏｎ−Ｓｃｒｅｅｎ  Ｄｉｓｐｌａｙ）画像１８００が表示される。ＯＳＤ画像１８００において、テキスト「このタッチは無効です！」は、行われたタッチ操作が無効にされたことを示す情報であり、テキスト「操作する場合は、指先でタッチしてください」は、無効にされないタッチ操作の実行を促す情報である。
【００８８】
なお、所定の通知は、上記通知に限られない。例えば、所定の通知は、行われたタッチ操作が無効にされたことの通知と、無効にされないタッチ操作の実行を促す通知との一方を含んでいなくてもよい。また、所定の通知に対応する表示制御によって表示される情報はテキストに限られない。例えば、所定の通知に対応する表示制御によって表示される情報として、アイコン、アニメーション、等が使用されてもよい。また、所定の通知は表示制御に限られない。例えば、所定の通知として、音声の出力、発光部の点灯、等が行われてもよい。
【００８９】
以上述べたように、本実施例によれば、行われたタッチ操作が無効にされた場合に、所定の通知が行われる。それにより、表示装置の操作性をより向上することができる。
【００９０】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００９１】
１００，９００：表示装置
２０５，１００５：タッチ解析部
【図１】
2017157086.tif 000003
【図２】
2017157086.tif 000004
【図３】
2017157086.tif 000005
【図４】
2017157086.tif 000006
【図５】
2017157086.tif 000007
【図６】
2017157086.tif 000008
【図７】
2017157086.tif 000009
【図８】
2017157086.tif 000010
【図９】
2017157086.tif 000011
【図１０】
2017157086.tif 000012
【図１１】
2017157086.tif 000013
【図１２】
2017157086.tif 000014
【図１３】
2017157086.tif 000015
【図１４】
2017157086.tif 000016
【図１５】
2017157086.tif 000017
【図１６】
2017157086.tif 000018